(57)【要約】【課題】操作が簡単で、ダイナミックな画像を楽しめる絵本型投影玩具を提供すること。【解決手段】字幕付きで全体として物語を構成し場面が異なる多数のコマ画像を坦持するフィルムが設けられたフィルムカセットと、前記フィルムカセットが着脱自在となるように構成され、前記フィルムを照明して前記コマ画像を光像として投影する投影手段と、前記フィルムの送りによって、投影する前記コマ画像の切替えを行うための操作子とが設けられた玩具本体と、を備えた絵本型投影玩具であって、前記多数のコマ画像のうちの少なくとも一部のコマ画像に対応した音データを記憶する記憶手段が設けられ、操作子の操作によって、投影位置に存在するコマ画像に対応した音データに基づく音を出力するように構成されている、ことを特徴とする。【選択図】図１
2006025983.tif 000002
【特許請求の範囲】
【請求項１】
字幕付きで全体として物語を構成し場面が異なる多数のコマ画像を坦持するフィルムが設けられたフィルムカセットと、
前記フィルムカセットが着脱自在となるように構成され、前記フィルムを照明して前記コマ画像を光像として投影する投影手段と、前記フィルムの送りによって、投影する前記コマ画像の切替えを行うための操作子とが設けられた玩具本体と、
を備えた絵本型投影玩具であって、
前記多数のコマ画像のうちの少なくとも一部のコマ画像に対応した音データを記憶する記憶手段が設けられ、操作子の操作によって、投影位置に存在するコマ画像に対応した音データに基づく音を出力するように構成されている、
ことを特徴とする絵本型投影玩具。
【請求項２】
前記音は効果音であることを特徴とする請求項１に記載の絵本型投影玩具。
【請求項３】
前記効果音は擬声又は擬音であることを特徴とする請求項２に記載の絵本型投影玩具。
【発明の詳細な説明】
【技術分野】
【０００１】
本発明は、絵本型投影玩具に関するものである。
【背景技術】
【０００２】
音の出る絵本として、音声記憶装置、音声発生装置、電源、及びスイッチを面表紙及び／又は裏表紙に有する音の出る絵本であって、前記絵本の本文の各頁の指定箇所を押すことで、前記面表紙及び／又は裏表紙に設けた前記指定箇所の下方にあるスイッチが押され、前記指定箇所に対応した音声が発生するものが知られている。（例えば、特許文献１）
【特許文献１】特開２０００−８４２６６号公報
【発明の開示】
【発明が解決しようとする課題】
【０００３】
後者の音の出る絵本では、頁を捲るには大きく手を動かさなければならないこと、また、捲った頁を押さえていなければならないこと、画面が小さいのでダイナミックさにかけるという問題があった。
【０００４】
本発明は、かかる問題点に鑑みてなされたもので、操作が簡単で、ダイナミックな画像を楽しめる絵本型投影玩具を提供することを目的とする。
【課題を解決するための手段】
【０００５】
請求項１に記載の絵本型投影玩具は、字幕付きで全体として物語を構成し場面が異なる多数のコマ画像を坦持するフィルムが設けられたフィルムカセットと、前記フィルムカセットが着脱自在となるように構成され、前記フィルムを照明して前記コマ画像を光像として投影する投影手段と、前記フィルムの送りによって、投影する前記コマ画像の切替えを行うための操作子とが設けられた玩具本体と、を備えた絵本型投影玩具であって、前記多数のコマ画像のうちの少なくとも一部のコマ画像に対応した音データを記憶する記憶手段が設けられ、操作子の操作によって、投影位置に存在するコマ画像に対応した音データに基づく音を出力するように構成されている、ことを特徴とする。
【０００６】
請求項２に記載の絵本型投影玩具は、請求項１に記載の投影玩具において、前記音は効果音であることを特徴とする。この場合の「効果音」としては情景を現す擬声、擬音等が考えられる。
【０００７】
請求項３に記載の絵本型投影玩具は、請求項２に記載の絵本型投影玩具において、前記効果音は擬声又は擬音であることを特徴とする。この場合の「擬声」の一例としては犬や鳥の鳴き声、「擬音」の一例としては雷の音、水に飛び込む音、風の音、川のせせらぎの音等が挙げられる。
【発明の効果】
【０００８】
請求項１から３に記載の発明によれば、画像を投影するので画像がダイナミックであり、また、ページ送りも操作子の操作によって簡単に行える。さらに、操作子（ボタンに限らない）の操作をする度に、また、操作子を操作したタイミングで、音が出力されるので興趣性の高い投影玩具が実現できる。
ちなみに、従来、フィルムを投影すると共に音を出力する投影装置として次のようなものが知られている。すなわち、この投影装置は、住空間内の壁面やスクリーンに自然の風景、風物、情緒性をもった風俗、神社仏閣、芸術等を撮影し編集したフィルムより、心のやすらぎの効果映像を映し出す映写機と、前記映写機により映し出される映像に同期して、心のやすらぎの効果音を奏する音響機器とを備えたものである。（例えば、特開平６−１６７７５８号公報）しかし、この投影装置は、映像に同期して自動的に音が出力されるもので、人が音の出力回数や出力タイミング等を調整できるものではなかった。
【発明を実施するための最良の形態】
【０００９】
１．全体構成
図１には絵本型投影玩具が示されている。この絵本型投影玩具１は玩具本体２とフィルムカセット３とを備えて構成されている。玩具本体２には、電源ボタン（図示せず）、リセットボタン２１、音声ボタン２２、ページ送りボタン２３及びページ戻しボタン２４が設けられている。また、玩具本体２にはカセット装着部２５が設けられている。
次に、絵本型投影玩具１の使用方法の一例を説明する。玩具本体２の電源ボタンをＯＮすると共にフィルムカセット３を装着する。リセットボタン２１を押すと、後述のフィルム３１が初期位置まで送られる。次いで、ページ送りボタン２３を１回押すと、次のページの画像が壁やスクリーン等に投影される。画面には字幕が付されているので、それを母親などが幼児に読み聞かせる。そして、そのページの字幕を読み終えたら、ページ送りボタン２３を１回押して次の画像に進む。このようにして最後の画像まで進む。この間に、画像に効果音の所在を示すマークが映し出される。このとき音声ボタン２２を押すと、投影されている画像に関連する効果音が出力される。なお、途中でページを戻したい場合にはページ戻しボタン２４を１回押す。すると、１ページ分だけフィルム３１が巻き戻される。
以下、この絵本型投影玩具１の細部構成を説明する。
【００１０】
２．細部構成
（１）玩具本体
玩具本体２は円盤状に構成されている。図２に示すように、玩具本体２は両手で支え持って操作できる大きさに構成されている。玩具本体２に設けられる電源ボタン（図示せず）、リセットボタン２１、音声ボタン２２、ページ送りボタン２３及びページ戻しボタン２４は両手で支え持って操作できる位置に存在している。
【００１１】
玩具本体２にはカセット装着部２５が設けられている。このカセット装着部２５は凹部となっている。カセット装着部２５にはフォトセンサ２６が突出状態で設けられている。このフォトセンサ２６は後述のフィルム３１（図４参照）のマークを検出するためのものである。このフォトセンサ２６は、１つのケースの中に発光素子と受光素子を対向配置し、検出溝間の通過物体（フイルム３１）を非接触で検知するように構成されている。
【００１２】
また、カセット装着部２５にはアーチ状の突出部２７が設けられている（図１及び図３参照）。この突出部２７にはフィルム３１を照明するため図５（Ａ）に示すような光源２８ａ及び集光レンズ２８ｂが鏡銅に取り付けられた状態で組み込まれている。さらに、玩具本体２５には同図に示すような投影レンズ２８ｃが鏡銅（フード）に取り付けられた状態で設けられている。このうち投影レンズ２８ｃは鏡銅を回転させることによってピント合わせができるように構成されている。なお、同図において符号２８ｄは絞りを、２８ｅは投影像を示している。
【００１３】
光源２８ａとしては発光ダイオード（ＬＥＤ）が使用されている。発光ダイオードは光量が少ないので、それをカバーするため２個以上のＬＥＤがここでは使用されている。また、投影レンズ２８ｃとしては像面湾曲の少ない広角像が得られる前絞り凹面を前方にした凸メニスカス投影レンズが使用されている。この投影レンズ２８ｃは安価な１枚の成型プラスチック非球面レンズである。この投影レンズ２８ｃの凹面は非球面となっており球面収差を補正できるように調整されている。また、投影レンズ２８ｃの厚さはコマ収差を補正できるように調整されている。さらに、投影レンズの凸面は球面となっている。
以上により、単レンズでありながら口径が大きＦナンバーの明るいレンズが得られ、集光レンズ２８ｂの球面収差に起因する集光光線のまとまりが悪い光や、複数のＬＥＤを使うことによる光源の増大によって光がレンズ及び絞り位置を通過するときの太い光束や、フィルムを通過するときの光の拡散光をも大口径のレンズ内に取り込むことができ、光効率の高い投影が可能となる。
ちなみに、図５（Ｂ）に示す光学系は一般的な光学系であり、光源２８ａとして発光ダイオードが１つ使用されている。また、投影レンズ２８ｃとして球面レンズが使用され、絞り２８ｄが投影レンズ２８ｃの後面側に設けられている。このような構成でも本願発明の目的は達成できるが、まず、光量が少なく像が暗いという問題がある。また、投影レンズ２８ｃの球面収差が大きく、絞り２８ｄを開くと像のコントラストがフレアーによって低下する一方で、絞り２８ｄを閉じると像はよくなるが像が暗くなってしまうという問題がある。また、投影像２８ｅの像面湾曲が大きく、周辺像がぼけるという問題がある。
【００１４】
また、玩具本体２には、電池収納部（図示せず）と、正逆回転可能なモータＭと、動力伝達機構４０とが設けられている（図６（Ａ）参照）。電池収納部には、絵本型投影玩具１の電源となる電池が着脱自在に収納される。一方、動力伝達機構４０はモータ動力を後述のスプロケット３３に伝達するためのものである。この動力伝達機構４０によれば、モータ動力はモータ軸及び歯車４１ａ〜４１ｆを通じて間欠運動機構４２に伝達され、さらに間欠運動機構４２の従車４２ｂの８角軸４３（同図（Ｂ）参照）を通じてスプロケット３３に伝達されるようになっている。なお、動力伝達機構４０内にはクラッチを設けることが好ましい。軸４３に過負荷が作用した場合に、モータＭや動力伝達機構４０内の部品が破損するのを防止するためである。なお、８角軸４３とスプロケット３３の軸の８角穴３３ａとが嵌合するようになっている。
【００１５】
（２）フィルムカセット
フィルムカセット３のカセット本体３０は図４に示すように下半部３０ａと上半部３０ｂとから構成されている。そして、このカセット本体３０内には、フィルム３１と、フィルム３１の送りをガイドするガイド部材３２と、フィルム３１を強制的に送るスプロケット３３と、シャッタ部材５２とが設けられている。
【００１６】
フィルム３１は無端フィルムとして構成され、２４コマの画像と２コマの画像空白部分とを坦持している。２４コマの画像は全体で１つの物語を構成している。すなわち、２４コマの画像には１つの物語の特徴的な場面の画像（コマ画像）がそれぞれ納められている。各コマ画像には字幕が付されている。すなわち、１つのコマ画像が１つのページに対応している。また、各コマ画像の下にはバーコードＢ（図７参照）が付されている。このバーコードＢはフィルム３１の送りの際にフォトセンサ２６の検出溝を通過する部分に付されている。
【００１７】
図７にはフィルム３１を展開した状態が示されている。このフィルム３１の２コマの画像空白部分は端に１つずつ存在している。そして、この２コマの画像空白部分は端同士が突き合わされ、透明テープで互いに結着される。その際、透明テープは２コマの画像空白部分に亘って粘着される。フィルム３１の上側に付されている１〜２４の数字は、コマ画像の投影順序を示している。すなわち、フィルム３１の上側に付されている１〜２４の数字の順序でコマ画像の投影がなされる。一方、フィルム３１の下側に付されている１〜２４（以下「Ｂ１〜Ｂ２４」という。）の数字は、コマ画像を投影順に投影していく際にフォトセンサ２６の検出溝を通過するコマの順序を示している。
【００１８】
次に、バーコードＢのコード構成を図７に基づいて説明する。すなわち、Ｂ１とＢ２４のコード構成は、他の（Ｂ２〜Ｂ２３の）コード構成とは識別できるような構成となっている。また、Ｂ１とＢ２４のコード構成は互いに異なっている。すなわち、Ｂ１は細幅の２つのバーから構成され、Ｂ２４は太幅の２つのバーから構成されている。また、Ｂ２〜Ｂ１３のコード構成は太幅のバーと細幅のバーとから構成されている。一方、Ｂ１４〜Ｂ２３のコード構成は細幅のバーと太幅のバーとから構成されている。すなわち、Ｂ２〜Ｂ１３のコード構成とＢ１４〜Ｂ２３のコード構成とは互いに逆の構成となっている。なお、バーは、フォトセンサ２６の発光素子からの光を遮断して受光素子に到達させない働きをする。
【００１９】
このようなコード構成としたのは次の理由による。すなわち、Ｂ１のコード構成を他のコード構成と異ならしめたのは、フォトセンサ２６によってＢ１のバーコードを検出することで、リセットボタン２１を押した際にフィルム３１を初期投影位置で停止させるためである。Ｂ２４のコード構成を他のコード構成と異ならしめたのは、フィルム３１を順送りする過程でフォトセンサ２６がＢ２４のバーコードを検出したときに画像空白部分（２コマ分）を飛ばしてフィルム３１を初期投影位置で停止させるためである。Ｂ２〜Ｂ１３のコード構成とＢ１４〜Ｂ２３のコード構成とを互いに異ならしめたのは、リセットボタン２１が押された際にフィルム３１の送り方向を変えて迅速にフィルム３１を初期投影位置に送るためである。
【００２０】
フィルム３１はガイド部材３２に巻き掛けられていると共にスプロケット３３に掛けられている。スプロケット３３はフィルム３１のハーフォレーションに噛み合い、モータＭひいてはスプロケット３３の回転方向に応じてフィルム３１が順方向又は逆方向に送られるようになっている。
【００２１】
ガイド部材３２は、上述の通り、フィルム３１の送りをガイドする機能を持つ。このガイド部材３２の下側には凹部が形成されている。そして、この凹部には、下半部３０ａの開口３６（図７参照）を通じて後述のアーチ型の突出部２７がちょうど嵌合するように構成されている。
【００２２】
図８に示すように、下半部３０ａにはフォトセンサ２６を受容する開口５１が設けられている。また、開口５１の近くにはシャッタ部材５２が設けられている。このシャッタ部材５２は、周面に螺旋状のカム５３が形成された回転体５４に閉塞板５５を設けた構造となっている。このシャッタ部材５２は図示しないばねによって閉塞板５５が開口５１の直上に位置するように付勢されている。一方、フィルム装着部２５には突片５６（図３参照）が設けられている。突片５６は、フィルムカセット３の装着に伴って、下半部３０ａのスリット５７に入り込み、カム５３と当接し回転体５４を回転させる。これによって、回転体５４を前記ばねの付勢力に抗して回転させ、閉塞板５５を開口５１の直上位置から退避させる。これによってフォトセンサ２６が開口５１からフィルムカセット３内に入り込み、検出溝内にフィルム３１が入り込むことになる。
【００２３】
３．動作
図９には玩具本体２の回路構成が示されている。一方、図１０にはフィルムカセット３の制御ブロックが示されている。以下、その動作を説明する。
玩具本体２側の制御装置６０は、電源スイッチがＯＮされ、フィルムカセット３がフィルム装着部２５に装着されたかどうかを監視する。制御装置６０は、電源スイッチがＯＮされ、フィルムカセット３がフィルム装着部２５に装着された後、リセットボタン２１が操作されたかどうかを監視し、リセットボタン２１が操作されたときには、モータドライバ６１を介してモータＭを（少なくとも１つのバーコードＢを読みとれる量分）一時的に正回転させる。このときモータＭは一定速度で回転するのでフィルム３１の送り速度も一定となる。そこで、制御装置６０は、フォトセンサ２６を介してバーコードＢの通過時間と各バーの通過時間を監視することで、各バーコードＢのコード構成を読み取ることが可能となる。そして、制御装置６０は、読み取り結果がＢ１か、Ｂ２〜Ｂ１３か、Ｂ１４〜Ｂ２３か、Ｂ２４か、バーコード空白部分（２コマ分）かに応じて、モータＭの回転方向及び回転時間を制御してフィルム３１を初期位置まで送る。すなわち、リセットボタン２１が押された際に、どちらの方向にフィルム３１を回転させた方がフィルム３１を初期投影位置に送るのが速いのかを決定し、その決定に基づき最速でフィルム３１を初期投影位置まで送る。どちらの回転方向でも同じ場合には、フィルム３１をどちらの方向に回転させてもよい。次いで、制御装置６０は、フィルム３１が初期位置に到達したならばモータＭを停止させる。これによって初期画面が投影される。初期画面ではないが投影画像の一例が図１１に示されている。
【００２４】
次いで、制御装置６０は、送りボタン６２又は６３が操作されたかどうかを監視し、操作された送りボタン（ページ送りボタン２３又はページ戻しボタン２４）に対応した方向にモータＭを回転させる。すなわち、ページ送りボタン２３が操作されたなら、モータＭを正方向に回転させ、一方、ページ戻しボタン２４が操作されたなら、モータＭを逆方向に回転させる。
【００２５】
また、制御装置６０は、モータＭの回転方向を加味して初期位置からのフィルム送り量から何コマ目のコマ画像が投影されているかどうかを監視し、音声ボタン２２が押された際にそのコマ画像に対応したコマ番号をフィルムカセット３側に通知する。これによって、制御装置７０は、制御装置７０内のメモリ（記憶手段）に記憶されている音声データを玩具本体２側に出力する。そして、本体側制御装置６０は、スピーカＳから効果音を出力させる。この場合の「効果音」としては情景を現す擬声、擬音等が考えられる。擬声の一例としては犬や鳥の鳴き声、擬音の一例としては雷の音、水に飛び込む音、風の音、川のせせらぎの音等のコマ画像に関連した音が挙げられる。なお、初期位置からのフィルム送り量はフィルムカセット３を玩具本体２から取り出した際にリセットされる。そして、リセットボタン２１が押され、フィルム３１が初期投影位置まで送られた際に再び初期位置に設定される。
【００２６】
なお、フィルムカセット２の後部には、制御装置７０その他の電子部品が装着された基板８０が設けられている。この基板８０はばね８１が設けられている。この基板８０の裏側にはコネクタ（図示せず）が設けられている。そして、フィルムカセット３がカセット装着部２５に装着された際に、玩具本体２側のシャッタが開いて他のコネクタが露出し、そのコネクタと電気的に接続されるようになっている。
【００２７】
以上、本発明の実施形態について説明したが、本発明はかかる実施形態に限定されるものではなく、その要旨を逸脱しない範囲で種々の変形が可能であることは言うまでもない。
【図面の簡単な説明】
【００２８】
【図１】本発明に係る絵本型投影玩具の斜視図である。
【図２】本発明に係る絵本型投影玩具の使用状態を示す斜視図である。
【図３】本発明に係る絵本型投影玩具の玩具本体の平面図である。
【図４】本発明に係る絵本型投影玩具のフィルムカセットの分解斜視図である。
【図５】本発明に係る絵本型投影玩具の光学系の構成を示す図である。
【図６】本発明に係る絵本型投影玩具の動力伝達機構を示す図である。
【図７】本発明に係る絵本型投影玩具のフィルムを展開した状態を示す図である。
【図８】本発明に係る絵本投影玩具のフィルムカセットの下面図である。
【図９】本発明に係る絵本型投影玩具の玩具本体側の制御ブロック図である。
【図１０】本発明に係る絵本型投影玩具のフィルムカセット側の制御ブロック図である。
【図１１】本発明に係る絵本型投影玩具によって画像を投影している状態を示す斜視図である。
【符号の説明】
【００２９】
１  絵本型投影玩具
２  玩具本体
３  フィルムカセット
２１  リセットボタン
２２  音声ボタン
２３  ページ送りボタン
２４  ページ戻しボタン
２５  カセット装着部
【図１】
2006025983.tif 000003
【図２】
2006025983.tif 000004
【図３】
2006025983.tif 000005
【図４】
2006025983.tif 000006
【図５】
2006025983.tif 000007
【図６】
2006025983.tif 000008
【図７】
2006025983.tif 000009
【図８】
2006025983.tif 000010
【図９】
2006025983.tif 000011
【図１０】
2006025983.tif 000012
【図１１】
2006025983.tif 000013